(57)【要約】【課題】  旅行先等の出先において、皮下注射する場合においても、携帯することで、廃棄注射針の廃棄収容が可能なケースの提供である。【解決手段】  廃棄注射針３１を収納するケース本体Ｂと、当該ケース本体Ｂの開口１に嵌着される内蓋Ｋ2 と、前記ケース本体Ｂにヒンジ連結されて、前記内蓋Ｋ2 により開口１が閉塞された前記ケース本体Ｂの内蓋Ｋ2 の外側を覆う外蓋Ｋ1 とから成り、前記内蓋Ｋ2 には、ケース本体Ｂの収容空間Ｖに廃棄注射針３１を投入するための投入口１４が形成されて、携帯可能なサイズ及び形状を有している構成とする。【選択図】      図４
2014230567.tif 000002
【特許請求の範囲】
【請求項１】
廃棄注射針を収納するケース本体と、当該ケース本体の開口に嵌着される内蓋と、前記ケース本体にヒンジ連結されて、前記内蓋により開口が閉塞された前記ケース本体の内蓋の外側を覆う外蓋とから成り、
前記内蓋には、ケース本体の収容空間に廃棄注射針を投入するための投入口が形成されて、携帯可能なサイズ及び形状を有していることを特徴とする携帯式注射針廃棄ケース。
【請求項２】
前記内蓋は、ケース本体の開口に嵌殺し構造となって全体が嵌着されることを特徴とする請求項１に記載の携帯式注射針廃棄ケース。
【請求項３】
前記内蓋は、緩やかな逆錐台状に形成されて、その頂部に投入口が形成されていることを特徴とする請求項１又は２に記載の携帯式注射針廃棄ケース。
【請求項４】
樹脂製の内蓋に形成された投入口は、垂直円筒部に形成され、当該垂直円筒部には、注射針を支持する針ホルダーと注射筒との段差部が当接する段差当接部が形成され、前記垂直円筒部における少なくとも前記段差当接部よりも下方の部分は、垂直方向に形成されたスリットを介して複数に分割されて、各弾性分割片の内周面には、注射針の針ホルダーの外周面に注射針の方向に沿って形成された凹条に係止される係止凸条が形成され、
注射筒に取付けられた前記針ホルダーを前記垂直円筒部に挿入して、当該針ホルダーの凹条と前記垂直円筒部に形成された係止凸条とを係止させた状態で、注射筒を回転させることで、針ホルダーを分離させて、分離された針ホルダーをケース本体の内部に落し込む構成であることを特徴とする請求項１ないし３のいずれかに記載の携帯式注射針廃棄ケース。
【請求項５】
前記内蓋は、ケース本体及び外蓋と一体となって射出成形可能なように、ケース本体に仮連結され、
前記ケース本体から内蓋を分離させて、当該ケース本体の開口を内蓋で覆蓋する構成であることを特徴とする請求項１ないし４のいずれかに記載の携帯式注射針廃棄ケース。
【発明の詳細な説明】
【技術分野】
【０００１】
本発明は、例えば、糖尿病患者において、自身で身体に注射するのに使用した注射器の注射針を、旅行先、会合先等の家庭以外の出先においても廃棄収容できる使い捨ての携帯式注射針廃棄ケースに関するものである。
【背景技術】
【０００２】
例えば、糖尿病患者は、定常的に体内にインスリンを投与する必要があり、近時では、経口投与に替えて、患者自身が皮下注射による投与が行われている。この注射器として、注射針を支持している針ホルダーが注射筒に螺子方式で取付けられ、注射後においては、注射筒から針ホルダーを取り外すようになっている。一旦使用された注射針は、在宅医療廃棄物であり、感染予防のために、その処分は、国或いは個々の自治体によって定められたガイドラインによることが義務付けられている。
【０００３】
上記した皮下注射に使用された注射針は、糖尿病患者自身が所定のケースに収容して、掛かり付けの病院等の医療機関で集められ、当該医療機関が上記ガイドラインに沿った焼却処分等を行っている。
【０００４】
糖尿病患者において、インスリンの投与は、日に数回行う必要がある場合が多く、しかも糖尿病患者であっても、宿泊旅行、終日集会等に参加することがあり、この場合には、インスリン投与の注射器を持参して、宿泊先、集会先等の出先において、注射している。出先においても、使用した注射針は、一般廃棄物と一緒に廃棄することは、禁じられているため、注射針の廃棄のためのケース類を持参し、当該ケース類に使用済の注射針を廃棄収容して、自宅に持参する必要がある。
【０００５】
上記した需要に対応して、例えば、特許文献１に開示の廃棄注射針の収容ケースが知られている。廃棄注射針を収納する瓶状の容器をケース内に収納させて、当該容器内に廃棄に係る注射針が一杯に溜まった場合には、ケースから瓶状の容器を取り出す構成であって、廃棄注射針の収容及び廃棄処理の観点からは、満足し得るものである。
【０００６】
しかし、特許文献１のケースは、家庭で常置させて使用するものであって、出先まで携帯して持ち運ぶという側面、即ち、ケース携帯性の側面は、全く考慮されていない。
【先行技術文献】
【特許文献】
【０００７】
【特許文献１】特開２００７−１２５３４１号公報
【発明の概要】
【発明が解決しようとする課題】
【０００８】
本発明の課題は、旅行先等の出先において、皮下注射する場合においても、携帯することで、廃棄注射針の廃棄収容が可能なケースの提供である。
【課題を解決するための手段】
【０００９】
第１の課題を解決するための請求項１の発明は、廃棄注射針を収納するケース本体と、当該ケース本体の開口に嵌着される内蓋と、前記ケース本体にヒンジ連結されて、前記内蓋により開口が閉塞された前記ケース本体の内蓋の外側を覆う外蓋とから成り、前記内蓋には、ケース本体の収容空間に廃棄注射針を投入するための投入口が形成されて、携帯可能なサイズ及び形状を有していることを特徴としている。
【００１０】
請求項１の発明によれば、ケース本体に内蓋が設けられているため、使用済の廃棄注射針は、内蓋に設けられた投入口から内部に落し込むと、ケース本体に収容され、廃棄注射針の収容後には、内蓋の外側を外蓋により覆蓋しておく。このため、外蓋を覆蓋しないで、ケース本体の開口に内蓋が嵌着された状態でケース本体が横転されても、収容された廃棄注射針がケース本体内から飛び出ることはない。また、ケースは、携帯可能なサイズ及び形状を有しているために、カバン等に収容して携帯することが可能であって、旅行先等の出先においても、廃棄注射針を収容廃棄できる。更に、携帯中には、ケースは、種々の姿勢に配置されるが、内蓋を有しているため、使用済の廃棄注射針の廃棄収容のために、いかなる姿勢で外蓋を開いても、或いは不意に外蓋が開いたとしても、収容されている廃棄注射針が不意に飛び出てしまうことはない。
【００１１】
請求項２の発明は、請求項１の発明において、前記内蓋は、ケース本体の開口に嵌殺し構造となって全体が嵌着されることを特徴としている。
【００１２】
請求項２の発明によれば、使用中に内蓋が外れることがないため、収容されている廃棄注射針が飛び出ることがなくなって、安全であると共に、注射針廃棄ケースは、一回使用の使い捨て方式であるため、ケース本体に対して内蓋が嵌殺し構造で嵌着されていても、問題はない。
【００１３】
請求項３の発明は、請求項１又は２の発明において、前記内蓋は、緩やかな逆錐台状に形成されて、その頂部に投入口が形成されていることを特徴としている。
【００１４】
請求項３の発明によれば、内蓋が逆錐台状をなしていて、その中央部に投入口が形成されているため、使用済の廃棄注射針は、無造作に内蓋の上面に放置するのみで、当該廃棄注射針は、逆錐台状の内蓋の上面を滑って投入口の部分まで達して、当該投入口から自然にケース本体内に落下される。よって、ケース本体に対する廃棄注射針の投入処理が容易となる。
【００１５】
請求項４の発明は、請求項１ないし３のいずれかの発明において、樹脂製の内蓋に形成された投入口は、垂直円筒部に形成され、当該垂直円筒部には、注射針を支持する針ホルダーと注射筒との段差部が当接する段差当接部が形成され、前記垂直円筒部における少なくとも前記段差当接部よりも下方の部分は、垂直方向に形成されたスリットを介して複数に分割されて、各弾性分割片の内周面には、注射針の針ホルダーの外周面に注射針の方向に沿って形成された凹条に係止される係止凸条が形成され、注射筒に取付けられた前記針ホルダーを前記垂直円筒部に挿入して、当該針ホルダーの凹条と前記垂直円筒部に形成された係止凸条とを係止させた状態で、注射筒を回転させることで、針ホルダーを分離させて、分離された針ホルダーをケース本体の内部に落し込む構成であることを特徴としている。
【００１６】
糖尿病患者が自身でインスリンを投与する注射器は、注射筒の先端部に、注射針を支持する針ホルダーが回転により螺合される構造であって、この状態（注射器の使用状態）において、注射筒と針ホルダーとの間には、所定の段差部が形成されている。請求項４の発明によれば、内蓋の投入口は垂直円筒部で形成され、注射器の針ホルダーを垂直円筒部に挿入して、注射筒と針ホルダーとの間の段差部を、垂直円筒部の段差当接部に当接させると、前記各弾性分割片の内周面に形成された係止凸条が、針ホルダーの外周面の係止凹条に係止されて、内蓋の垂直円筒部に対して針ホルダーが回転不能に仮保持される。よって、この状態で、注射筒を回転させると、針ホルダーと注射筒とが分離されて、針ホルダーのみが垂直円筒部に残り、当該針ホルダーを注射筒の先端部等によって、下方に押すと、当該針ホルダーは、ケース内に落し込まれて収容される。これにより、患者は、注射筒と針ホルダーとを分離させることなく、しかも注射針に一切接触することなく、使用済の廃棄注射針をケース本体内に収容できる。
【００１７】
請求項５の発明は、請求項１ないし４のいずれかの発明において、前記内蓋は、ケース本体及び外蓋と一体となって射出成形可能なように、ケース本体に仮連結され、前記ケース本体から内蓋を分離させて、当該ケース本体の開口を内蓋で覆蓋する構成であることを特徴としている。
【００１８】
請求項５の発明によれば、一回の射出成形により、注射針廃棄ケースを構成するケース本体、内蓋、及び外蓋の３つの部分が同時に成形できるので、当該ケースの成形性が高められる。
【発明の効果】
【００１９】
本発明に係る注射針廃棄ケースは、内蓋を備えているため、携帯中にどのような姿勢で配置されても、次の廃棄注射針の廃棄収容のために外蓋を開いた際に、ケース本体内の廃棄注射針が飛び出る恐れはない。内蓋が逆錐台状をしていると、内蓋の上面に廃棄注射針を無造作に放置するのみで、廃棄注射針は、内蓋の傾斜上面を滑って、投入口からケース本体内に落し込まれて収容され、更に、内蓋の投入口が垂直円筒部に形成されて、注射器の針ホルダーを回転不能に保持できる構成にすると、使用済の注射針を支持している針ホルダーを注射筒から分離させて、注射針に接触することなく、使用済の注射針をケース本体内にそのまま廃棄収容できる。
【００２０】
また、内蓋は、ケース本体及び外蓋と一体となって射出成形可能なように、ケース本体に仮連結され、前記ケース本体から内蓋を分離させて、当該ケース本体の開口を内蓋で嵌着する構成であると、一回の射出成形により、注射針廃棄ケースを構成するケース本体、内蓋、及び外蓋の３つの部分が同時に成形できるので、当該ケースの成形性が高められる。
【図面の簡単な説明】
【００２１】
【図１】実施例１の注射針廃棄ケースＣ1 のケース本体Ｂと内蓋Ｋ2 とを分離させた状態の斜視図である。
【図２】（ａ），（ｂ）は、それぞれ外蓋Ｋ1 を開いた状態、及び閉じた状態の斜視図である。
【図３】（ａ），（ｂ）は、それぞれ成形直後のケース本体Ｂに対して内蓋Ｋ2 が連結された状態、及びケース本体Ｂに内蓋Ｋ2 が嵌着された状態の平面図である。
【図４】（ａ），（ｂ）は、それぞれ図３（ａ），（ｂ）の中央断面図である。
【図５】注射針廃棄ケースＣ1 の短手方向の断面図である。
【図６】注射針廃棄ケースＣ1 の長手方向の断面図である。
【図７】（ａ），（ｂ）は、それぞれ注射器Ｓの分解斜視図、及び注射筒３３に針ホルダー３４が取付けられた状態の斜視図である。
【図８】（ａ），（ｂ）は、それぞれ実施例２の注射針廃棄ケースＣ2 の平面図及び正面図である。
【図９】（ａ），（ｂ）は、それぞれ実施例３の注射針廃棄ケースＣ3 の平面図及び正面図である。
【図１０】（ａ），（ｂ）は、それぞれケース本体Ｂと外蓋Ｋ1 及び内蓋Ｋ2 との別の係止構造を示す部分拡大断面図である。
【図１１】ケース本体Ｂ、外蓋Ｋ1 及び内蓋Ｋ2 に設けられる係止凸条８’，１０’及び内蓋Ｋ2 に設けられる被係止凸条１７’が部分的に設けられた注射針廃棄ケースＣ1 を示す。
【図１２】（ａ），（ｂ）は、それぞれ実施例４の注射針廃棄ケースＣ4 の部分拡大断面図及び斜視図である。
【図１３】（ａ）は、図１０（ａ）のＸ−Ｘ線拡大断面図であり、（ｂ）は、本図（ａ）のＹ−Ｙ線縮小断面図である。
【発明を実施するための形態】
【００２２】
以下、複数の実施例を挙げて、本発明を更に詳細に説明する。
【実施例１】
【００２３】
図１〜図４に示されるように、注射針廃棄ケースＣ1 は、射出成形による樹脂成形品であって、長方形の平面形状を有する深い箱型を有している。当該ケースＣ1 は、長方形状の深い箱型をしたケース本体Ｂと、当該ケース本体Ｂの開口１の内側に嵌着されることで当該開口１を嵌着される内蓋Ｋ2 と、前記ケース本体Ｂの上端部の４辺のうち一方の長辺部にヒンジ部２を介して連結された外蓋Ｋ1 とから成る。外蓋Ｋ1 及び内蓋Ｋ2 は、それぞれ本蓋及び中蓋と称することもできる。
【００２４】
ケース本体Ｂは、底板部３と、対向配置された一対の第１側板部４と、当該一対の第１側板部４の対向方向に対して９０°異なる方向に沿って対向配置された別の一対の第２側板部５との、計５枚の各板部が一体となった構成であって、一対の第１側板部４及び別の一対の第２側板部５の対向間隔は、いずれも底板部３から開口１に向けて漸次僅かに大きくなって、僅かに外方に傾斜している。底板部３は、外周部を除いて僅かに嵩上げされ、一対の第２側板部５の内側面には、補強と内蓋Ｋ2 の支持とを兼用した２本の縦リブ６がそれぞれ形成されている。縦リブ６の内端面（第２側板部５の板面と平行な端面）は、底板部３に対して垂直に形成され、その結果、当該縦リブ６の巾は、下端から上端に向けて漸次広くなっている。第１及び第２の各側板部４，５の連結部、及び当該各側板部４，５と底板部３との連結部は、いずれもわん曲されている。
【００２５】
図５及び図６に詳細に図示されているように、第１及び第２の各側板部４，５の上端部は、外側にのみ段差が形成されることで、全周に亘って薄肉に形成されて、当該薄肉部７の上半部の外側には、外蓋Ｋ1 を係止させる外蓋係止凸条８が、ヒンジ部２の部分を除く全周に亘って形成されることで、当該薄肉部７の下半部には、外蓋係止凹条９が形成されている。また、第１及び第２の各側板部４，５の上端部の内側面における前記薄肉部７の下端よりも僅かに下方の部分に、内蓋Ｋ2 を係止させる内蓋係止凸条１０が全周に亘って形成されている。なお、図中Ｖは、ケース本体Ｂの廃棄注射針を廃棄収容する収容空間を示す。
【００２６】
内蓋Ｋ2 は、射出成形時には、ケース本体Ｂの一対の第２側板部５の一方の上端部に、薄肉の連結部５１を介して連結された状態となっていて、成形後において、当該連結部５１を切断することで、ケース本体Ｂに対して内蓋Ｋ2 を分離させる。内蓋Ｋ2 は、ケース本体Ｂの上端部の内側に嵌着されることで、当該ケース本体Ｂの開口１が覆蓋される。内蓋Ｋ2 は、外周の方形起立枠体部１２の内側に、緩やかな逆四角錐台状をした蓋板部１３が一体に形成されて、当該蓋板部１３の中央部に円形の投入口１４が形成された構成である。外周の方形起立枠体部１２と、緩やかな逆四角錐台状をした蓋板部１３とは、当該方形起立枠体部１２に対して直交する方形面状枠体部１５を介して連結されている。蓋板部１３における投入口１４が形成される部分は、起立リング部１６が形成されている。方形起立枠体部１２の外側面には、ケース本体Ｂの内蓋係止凸条１０と係止される被係止凸条１７が全周に亘って形成されている。
【００２７】
内蓋Ｋ2 は、図２、図５及び図６に示されるように、ケース本体Ｂの上端部の開口１から内側に押し込むことで、全体がケース本体Ｂの内部に挿入された状態で嵌着され、方形起立枠体部１２の下端面が計二対の縦リブ６の上端面に当接された状態で、方形起立枠体部１２に形成された被係止凸条１７が、ケース本体Ｂの内蓋係止凸条１０に係止される。これにより、内蓋Ｋ2 は、ケース本体Ｂの上端部の内側に「嵌殺し構造」となって嵌着される。
【００２８】
外蓋Ｋ1 は、ケース本体Ｂの平面形状と同一であって、天板部２１のみが平板状に形成されて、当該天板部２１を除く部分は、いずれもわん曲状に形成され、その肉厚も、ケース本体Ｂの肉厚と同一となっている。外蓋Ｋ1 の端面に近い部分は、内側のみに段差部が形成されるような薄肉部２２に形成されて、当該薄肉部２２の内側に、ケース本体Ｂの外蓋係止凸条８及び外蓋係止凹条９に対して係止される外蓋被係止凹条２３及び外蓋被係止凸条２４が相上下して、ヒンジ部２を除く全周に亘って連続して形成されている。また、外蓋Ｋ1 における自身の開口に臨む部分におけるヒンジ部２と対向する部分には、ケース本体Ｂに覆蓋されて、当該ケース本体Ｂの係止部（外蓋係止凸条８及び外蓋係止凹条９）と、外蓋Ｋ1 の被係止部（外蓋被係止凹条２３及び外蓋被係止凸条２４）との係止を解除する際に、指先を引っ掛ける係止解除片２５が外方に突出して形成されている。
【００２９】
図２（ｂ）に示されるように、ケース本体Ｂの開口１に内蓋Ｋ2 を嵌着して、更に、当該内蓋Ｋ2 の外側を、ケース本体Ｂにヒンジ連結された外蓋Ｋ1 で覆蓋した状態において、〔縦（Ｌ1)×横（Ｌ2)×高さ（Ｈ）〕は、（８０×５７×７０）ｍｍであって〔図２（ｂ），図５及び図６参照〕、しかも各コーナー部は、いずれも全体寸法に比較して大きな曲率半径を有する曲面形状になっているために、本発明に係る注射針廃棄ケースＣ1 は、例えば、外出時に持ち歩くバック、或いは旅行時に使用する旅行カバンの内部に嵩張ることなく収容できるサイズ及び形状である。なお、収容空間Ｖの容積は、内蓋Ｋ2 の部分までで、約２５０ｃｍ3 ( ミリリットル) であり、円形の投入口１４の内径は、１９ｍｍである。
【００３０】
ケース本体Ｂの開口１の内側に内蓋Ｋ2 が嵌着された状態で、外蓋Ｋ1 により内蓋Ｋ2 の外側を覆蓋させると、ケース本体Ｂの外蓋係止凸条８及び外蓋係止凹条９が、それぞれ外蓋Ｋ1 の外蓋被係止凹条２３及び外蓋被係止凸条２４にそれぞれ係止して、ケース本体Ｂの薄肉部７と外蓋Ｋ1 の薄肉部２２とが重なり合って、ケース本体Ｂと外蓋Ｋ1 との各端面が当接することで、外蓋Ｋ1 の係止解除片２５の部分を除いて、ケース本体Ｂと外蓋Ｋ1 との重り合っている部分の外周面は無段差状態となる〔図２（ｂ）参照〕。
【００３１】
上記したケースＣ1 は、図３（ａ）及び図４（ａ）に示されるように、ケース本体Ｂの上端部における外蓋Ｋ1 のヒンジ部２と対向する部分において内蓋Ｋ2 を連結部５１を介して連結された状態で、当該ケース本体Ｂ、外蓋Ｋ1 及び内蓋Ｋ2 は、一対の分離型（図示せず）を矢印Ｐの方向に離型させることで、同時に射出成形される。前記離型方向Ｐに沿って、係止のための凸条８，１０，１７，２４が形成されるが、当該凸条８，１０，１７，２４は小さいので、いわゆる「無理抜き」の方法によって、射出成形可能である。よって、前記ケースＣ1 は、成形性の面においても優れている。
【００３２】
廃棄対象の注射針３１を備えたインスリン等を皮下注射するための注射器Ｓは、図７に示されるように、先端部に螺合筒部３２が一体形成された注射筒３３と、前記注射針３１が貫通支持されて、前記注射筒３３の螺合筒部の外側に螺合される有底円筒状の針ホルダー３４と、前記注射針３１のみを覆うための針カバー３５と、当該注射針３１及び前記針ホルダー３４の双方を覆うための針ホルダーカバー３６とから成る。螺合筒部３２の外周面には、針ホルダー３４の内周面に形成された雌螺子（図示せず）と螺合される雄螺子３７が形成されている。針ホルダー３４の外周面には、周方向に一定間隔をおいて多数の係止凹条３８が軸心方向（注射針３１の配置方向）に形成され、針ホルダーカバー３６の大径円筒部３６ａの内周面には、針ホルダー３４の前記係止凹条３８と係止する複数本の係止凸条（図示せず）が周方向に沿って一定間隔をおいて軸方向に形成されている。
【００３３】
患者自身が皮下注射を行った後に、注射筒３３の針ホルダー３４の外側に針ホルダーカバー３６を差し込んで、当該針ホルダー３４の係止凹条３８と、針ホルダーカバー３６の大径円筒部３６ａの内周面に形成された係止凸条とを係止させた状態で、当該針ホルダーカバー３６を螺合が緩む方向（通常は左回転方向）に回転させると、針ホルダーカバー３６の大径円筒部３６ａの内部に針ホルダー３４が収容されて、注射筒３３から針ホルダー３４が取り外されて、使用済の注射針３１が注射筒３３から取り外される。以下、針ホルダーカバー３６の大径円筒部３６ａの内部に、注射筒３３から取り外された針ホルダー３４、即ち、使用済の注射針３１が収容された状態のものを、廃棄注射針セット３９と称する。廃棄注射針セット３９の最大外径（針ホルダーカバー３６の基端のフランジの部分の外径）及び長さは、（１５×２８）ｍｍである。廃棄注射針セット３９の状態では、使用済の注射針３１は、針ホルダーカバー３６により全体が覆われていて、その廃棄時に、誤って注射針３１が患者の指先等に接触することはないので、安全である。
【００３４】
そして、注射針廃棄ケースＣ1 の外蓋Ｋ1 を開いて、廃棄注射針セット３９を内蓋Ｋ2 の蓋板部１３の上面に無造作に放置すると、蓋板部１３の中央部の投入口１４及び廃棄注射針セット３９の各寸法は、上記した通りであるために、当該蓋板部１３は、緩やかな逆四角錐台状となって、中央の投入口１４の部分が最も低くなっているため、中央の投入口１４の部分まで自然に導かれて、ケース本体Ｂの収容空間Ｖに落し込まれる。このようにして、ケース本体Ｂの収容空間Ｖに廃棄注射針セット３９を廃棄収容した後には、ケース本体Ｂに対して外蓋Ｋ1 を覆蓋させておく。これにより、注射針廃棄ケースＣ1 は、内蓋Ｋ2 及び外蓋Ｋ1 により二重に覆蓋されるために、次回の廃棄注射針セット３９の廃棄収容のために、外蓋Ｋ1 を開いたり、或いは不意に外蓋Ｋ1 が開いても、ケース本体Ｂの収容空間Ｖに廃棄収容されている廃棄注射針セット３９が投入口１４から飛び出ることはないために、安全に使用できる。
【００３５】
そして、ケース本体Ｂの収容空間Ｖにほぼ一杯に廃棄注射針セット３９が収容されたならば、患者が掛かり付けの医療機関に持参して、当該医療機関に預け、当該医療機関は、ガイドラインにより定められた方法により、焼却等の処分を行う。
【実施例２】
【００３６】
図８に示される注射針廃棄ケースＣ2 は、平面形状が円形である点のみが、実施例１のケースＣ1 と異なり、内蓋を有している点は共通している。ケースＣ2 で使用される内蓋（図示せず）は、緩やかな逆円錐台状となる。なお、図中、Ｂ’及びＫ1'は、それぞれケース本体及び外蓋を示し、２５’は、係止解除片を示す。
【実施例３】
【００３７】
図９に示される注射針廃棄ケースＣ3 は、各頂部が大きくわん曲された正三角形状の平面形状を有している点のみが、実施例１，２の各ケースＣ1 ，Ｃ2 と異なり、内蓋を有している点は共通している。ケースＣ3 で使用される内蓋（図示せず）は、緩やかな逆三角錐台状となる。ケースＣ3 は、横転配置させても、安定化する形状上の利点がある。なお、図中、Ｂ”及びＫ1 ”は、それぞれケース本体及び外蓋を示し、２５”は、係止解除片を示す。
【００３８】
上記において、平面形状が大きく異なる実施例１〜３の各ケースＣ1 〜Ｃ3 を挙げたが、平面形状が「５」を超える多角形状であってもよい。また、ケース本体Ｂに対する内蓋Ｋ2 及び外蓋Ｋ1 の嵌着は、いずれも凸条と凹条の係止による構造であり、この凸条と凹条の組み合せは、上記に限定されず、結果として係止することができれば、いかなる構造であってもよい。例えば、図１０（ａ）に示される構成は、ケース本体Ｂの薄肉部７の内外両面に外蓋及び内蓋の各係止凸条６１，６２が形成され、外蓋Ｋ1 の薄肉部２２の内側面、及び内蓋Ｋ2 の方形起立枠体部１２の外側面に、それぞれ前記各係止凸条６１，６２に係止される被係止凹条６３，６４が形成された構成である。また、図１０（ｂ）に示される構成は、ケース本体Ｂの薄肉部７の外側に係止凸条６５が形成され、ケース本体Ｂの薄肉部７よりも下方の部分に係止凹条６６が形成され、外蓋Ｋ1 の薄肉部２２の内側面、及び内蓋Ｋ2 の外側面に、それぞれ対応する外蓋被係止凹条６７及び内蓋被係止凸条６８が形成された構成である。
【００３９】
また、実施例１のケースＣ1 では、係止のための各凸条８，１０，１７，２４及び各凸条８，２４に対応する各凹条２３，９は、全周に亘って形成されているが、図１１に示されるように、その直線部のみに部分的に形成してもよい。なお、図１１では、対応する符号に対して「’」を付してある。
【実施例４】
【００４０】
次に、図１０及び図１１を参照して、実施例４の注射針廃棄ケースＣ4 について説明する。実施例４のケースＣ4 は、実施例１のケースＣ1 において、患者が自身で皮下注射した後に、注射針３１に非接触で注射筒３３から針ホルダー３４を取り外して、そのままケース本体Ｂの収容空間Ｖ内に落し込むことが可能なように、内蓋Ｋ2 に改良を施したものである。
【００４１】
即ち、ケースＣ4 の内蓋Ｋ2'は、蓋板部４１の中央部には、垂直円筒部４２が形成され、当該垂直円筒部４２の開口が投入口４３となっていて、蓋板部４１における垂直円筒部４２及びその周縁の部分は、他の部分に比較して薄肉に形成されている。薄肉の垂直円筒部４２の上端部には、同じく薄肉のテーパー円筒部４４が連続して形成され、両円筒部４２，４４の間に、注射器Ｓの注射筒３３と針ホルダー３４との段差部３０を当接させるための段差当接部４５が形成されている。垂直円筒部４２及びテーパー円筒部４４の部分には、周方向に等間隔をおいて複数本（実施例では３本）のスリット４６が、垂直円筒部４２の軸心方向Ｊ及びテーパー円筒部４４の放射方向に連続して形成され、その結果、蓋板部４１の中央の両円筒部４２，４４の部分は、外方に弾性変形可能な複数の弾性分割片４７に分割されている。
【００４２】
また、各弾性分割片４７の内周面におけるスリット４６に近い部分には、注射器Ｓの針ホルダー３４の外周面の断面長方形状の係止凹条３８に係止される係止凸条４８が垂直円筒部４２の軸心方向Ｊに沿って形成されている。係止凸条４８の横断面は、針ホルダー３４の係止凹条３８の横断面形状に対応していて、互いに直交する２辺の比の大きな直角三角形状をしていて、針ホルダー３４に対して注射筒３３を左回転（反時計回転）させることで、係止し易い形状にしてある。また、針ホルダー３４の注射筒３３に近い部分には、係止凹条３８が形成されていなくて、円周面のままとなっているため、注射筒３３から分離された針ホルダー３４を突き落とす際に、針ホルダー３４における円周面のままの部分３４ａが垂直円筒部４２の内部の孔部である投入口４３を通過し易いように、前記係止凸条４８の上端部はテーパー状に形成されている。
【００４３】
よって、皮下注射後の注射筒３３の先端に取付けられた針ホルダー３４を、当該針ホルダー３４と注射筒３３との間の段差部３０が前記段差当接部４５に当接するまで、注射針廃棄ケースＣ4 の垂直円筒部４２に挿入して、必要な場合には、いずれかの方向に僅かに回動させると、各弾性分割片４７の内周面に形成された係止凸条４８が、針ホルダー３４の外周面に形成された係止凹条３８に係止されて、垂直円筒部４２に対して針ホルダー３４が回動しないように仮保持される。この状態で、注射筒３３を左回転させると、当該注射筒３３と針ホルダー３４とが分離される。
【００４４】
その後に、垂直円筒部４２に仮保持された針ホルダー３４を注射筒３３の先端部で軽く押し付けると、各弾性分割片４７が僅かに外方に弾性変形されて、当該垂直円筒部４２に対して針ホルダー３４が僅かに下方にスライドされた後に、ケース本体Ｂの収容空間Ｖに落し込まれて収容される。
【００４５】
このように、実施例４のケースＣ4 によれば、注射筒３３と針ホルダー３４とを分離させることなく、そのままの状態で、しかも使用済の注射針３１に一切接触することなく、注射筒３３と針ホルダー３４とを分離させて、当該針ホルダー３４に保持されている当該注射針３１をケースＣ4 の内部の収容空間Ｖに廃棄収容できる点において、実施例１のケースＣ1 とは異なる。
【００４６】
実施例４では、垂直円筒部４２及びこれに接続されるテーパー円筒部４４を周方向に沿って３分割した例であるが、この分割数を多くすると、各弾性分割片４７が外方に弾性変形し易くなるため、注射筒３３から針ホルダー３４を分離させた後に行うケース本体Ｂの収容空間Ｖに対する針ホルダー３４の落し込みが容易となる。
【符号の説明】
【００４７】
Ｂ，Ｂ',Ｂ”：ケース本体
Ｃ1 〜Ｃ4 ：注射針廃棄ケース
Ｋ1,Ｋ1', Ｋ1 ”：外蓋
Ｋ2,Ｋ2'：内蓋
Ｓ：注射器
Ｖ：ケース本体の収容空間
１：ケース本体の開口
２：外蓋のヒンジ部
１４，４３：内蓋の投入口
３０：注射筒と針ホルダーとの段差部
３１：注射針
３３：注射筒
３８：針ホルダーの係止凹条
４２：垂直円筒部
４５：段差当接部
４６：スリット
４７：弾性分割片
４８：弾性分割片に形成された係止凸条
【図１】
2014230567.tif 000003
【図２】
2014230567.tif 000004
【図３】
2014230567.tif 000005
【図４】
2014230567.tif 000006
【図５】
2014230567.tif 000007
【図６】
2014230567.tif 000008
【図７】
2014230567.tif 000009
【図８】
2014230567.tif 000010
【図９】
2014230567.tif 000011
【図１０】
2014230567.tif 000012
【図１１】
2014230567.tif 000013
【図１２】
2014230567.tif 000014
【図１３】
2014230567.tif 000015